(57)【要約】【課題】本発明は、操作性の向上を図ることができる掃除機を提供することを目的とする。【解決手段】掃除機１は、掃除機本体３と、掃除機本体３が立て掛けられる壁αなどの被立て掛け部に取り付けられ、掃除機本体３を被立て掛け部に立て掛ける際に掃除機本体３の接触部３１に対向配置される壁置き部品８とを有している。【選択図】図１
2020072837.tif 000002
【特許請求の範囲】
【請求項１】
掃除機本体と、
前記掃除機本体が立て掛けられる被立て掛け部に取り付けられ、前記掃除機本体を前記被立て掛け部に立て掛ける際に前記掃除機本体の一部に対向配置される対向部品と
を有する掃除機。
【請求項２】
前記掃除機本体及び前記対向部品に分離して備えられ、前記掃除機本体を前記被立て掛け部に立て掛けた状態で保持する状態保持部を有する
請求項１記載の掃除機。
【請求項３】
前記状態保持部は、
前記一部に設けられた第一保持部材と、
前記対向部品に設けられて前記第一保持部材と協働して前記掃除機本体を前記被立て掛け部に立て掛けた状態で保持する第二保持部材と
を備えている
請求項２記載の掃除機。
【請求項４】
前記第一保持部材は、磁石であり、
前記第二保持部材は、強磁性体である
請求項３記載の掃除機。
【請求項５】
前記第一保持部材は、強磁性体であり、
前記第二保持部材は、磁石である
請求項３記載の掃除機。
【請求項６】
前記一部は、前記掃除機本体から突出する凸部を備え、
前記対向部品は、前記凸部を受ける凹部を備え、
前記第一保持部材は、前記凸部に配置され、
前記第二保持部材は、前記凹部に配置されている
請求項３から５までのいずれか一項に記載の掃除機。
【請求項７】
前記一部は、前記凸部から突出する突起部を備えている
請求項６記載の掃除機。
【請求項８】
前記対向部品は、前記凹部を囲んで設けられて前記掃除機本体が配置される側に向かって突出する枠部を備えている
請求項６又は７に記載の掃除機。
【請求項９】
前記対向部品は、前記枠部の一部に形成されて前記枠部の幅方向に延伸する溝部を備えている
請求項８記載の掃除機。
【発明の詳細な説明】
【技術分野】
【０００１】
本発明は、床などの被清掃面に散らばる塵埃を吸引して除去する掃除機に関する。
【背景技術】
【０００２】
電気掃除機には、キャニスター型やスティック型など種々の形態がある。特許文献１には、スティック型（縦型）電気掃除機が開示されている。スティック型電気掃除機は、本体部に充電池を備え、この充電池を電源として駆動される。スティック型電気掃除機の使用者は、充電池、外部の空気を吸引するためのファン、及びこのファンを駆動するモータなどを収容した本体部を手に持って掃除する必要がある。このため、スティック型電気掃除機は、小型化や軽量化が求められている。一方、スティック型電気掃除機は、小型化や軽量化が図られると、充電池、ファン及びモータなどを小型化や軽量化する必要が生じる。そうすると、スティック型電気掃除機の吸引力が弱くなったり連続稼働時間が短くなったりするという問題がある。
【０００３】
また、スティック型電気掃除機では、非使用時に本体部が充電装置に設置されて充電池が充電される。本体部及び充電装置には、この充電池に電源を供給するための電源端子がそれぞれ設けられている。スティック型電気掃除機の充電池を充電するためには、この電源端子同士を確実に接続した状態で本体部が充電装置に設置される必要がある。しかしながら、スティック型電気掃除機は、小型化が図られているため、これらの電源端子も小型となり、互いの電源端子同士を接続しつつ、スティック型電気掃除機を充電装置に設置する作業が煩雑になるという問題がある。
【先行技術文献】
【特許文献】
【０００４】
【特許文献１】特開２０１５−１１９７９４号公報
【発明の概要】
【発明が解決しようとする課題】
【０００５】
このように、従来の掃除機は、使用時や充電時の操作性に問題がある。
本発明の目的は、操作性の向上を図ることができる掃除機を提供することにある。
【課題を解決するための手段】
【０００６】
上記課題を解決するために、本発明の一態様による掃除機は、掃除機本体と、前記掃除機本体が立て掛けられる被立て掛け部に取り付けられ、前記掃除機本体を前記被立て掛け部に立て掛ける際に前記掃除機本体の一部に対向配置される対向部品とを有することを特徴とする。
【発明の効果】
【０００７】
本発明の一態様によれば、操作性の向上を図ることができる。
【図面の簡単な説明】
【０００８】
【図１】本発明の一実施形態による掃除機の外観を示す斜視図及び右側面図である。
【図２】本発明の一実施形態による掃除機の外観を示す正投影図である。
【図３】本発明の一実施形態による掃除機に備えられた吸引部の正面図及び背面図である。
【図４】本発明の一実施形態による掃除機に備えられた吸引部の左側面図及び右側面図である。
【図５】本発明の一実施形態による掃除機に備えられた吸引部を図２中に示すＢ−Ｂ線で切断した断面図である。
【図６】本発明の一実施形態による掃除機に備えられた吸引部の集塵部カバー正投影図である。
【図７】本発明の一実施形態による掃除機に備えられた吸引部に収容される集塵ホルダの外観を示す斜視図である。
【図８】本発明の一実施形態による掃除機に備えられた吸引部に収容される集塵ホルダの外観を示す正投影図である。
【図９】本発明の一実施形態による掃除機に備えられた吸引部の空気案内部の外観を示す斜視図である。
【図１０】本発明の一実施形態による掃除機に備えられた吸引部を図２中に示すＡ−Ａ線で切断した断面図である。
【図１１】本発明の一実施形態による掃除機に備えられた吸引部の光拡散部の外観を示す斜視図である。
【図１２】本発明の一実施形態による掃除機に備えられた吸引部の光拡散部の外観を示す正投影図である。
【図１３】本発明の一実施形態による掃除機に備えられた吸引部の光反射部の外観を示す斜視図である。
【図１４】本発明の一実施形態による掃除機に備えられた吸引部の光反射部の外観を示す正投影図である。
【図１５】本発明の一実施形態による掃除機に備えられた壁置き部品の外観を示す分解斜視図である。
【図１６】本発明の一実施形態による掃除機に備えられた壁置き部品の外観を示す正投影図である。
【発明を実施するための形態】
【０００９】
以下、本発明の一実施形態による掃除機について図１から図１６を用いて説明する。本実施形態による掃除機１は、床などの被清掃面に散らばる塵埃を吸引して除去する電気掃除機である。また、本実施形態による掃除機１は、スティック型（縦型）電気掃除機である。また、掃除機１は、内部に充電池を備えている。このため、掃除機１は、商用電源が供給される電源コンセントに電源コードを接続した状態でなくても、この充電池を駆動源として動作できる、いわゆるコードレス型の掃除機である。
【００１０】
［掃除機の全体の外観構成］
まず、本実施形態による掃除機１の全体の外観構成について図１及び図２を用いて説明する。図１（ａ）は、掃除機１の斜視図であり、図１（ｂ）は、掃除機１の収納や充電を説明するための右側面図である。図２は、掃除機１に備えられた掃除機本体３の正投影図であり、図２中上段には、掃除機本体３の平面図が図示され、図２中中段には、左から掃除機本体３の左側面図、正面図、右側面図及び背面図がこの順に図示され、図２中下段には、掃除機本体３の底面図が図示されている。
【００１１】
図１に示すように、掃除機１は、掃除機本体３と、掃除機本体３が立て掛けられる壁（被立て掛け部の一例）αに取り付けられ、掃除機本体３を屋内などの壁αに立て掛ける際に接触部（掃除機本体３の一部）３１に対向配置される壁置き部品（対向部品の一例）８とを有している。接触部３１は、掃除機本体３から突出する凸部３１ａを備えている。また、壁置き部品８は、凸部３１ａを受ける凹部８１を備えている。
【００１２】
図１及び図２に示すように、掃除機本体３は、外気を吸引する吸引部５と、吸引部５の吸引口（図１及び図２では不図示）に着脱可能に接続される延長パイプ４と、吸引部５が取り付けられる端部とは反対側の延長パイプ４の端部に着脱可能に接続される吸引ヘッド部２とを有している。吸引部５は、筐体５１を有している。詳細は後述するが、吸引部５は、掃除機本体３内に空気を吸引して気流を発生させる吸引ファンと、吸引ファンを駆動するモータと、モータやその他の電子部品を駆動する駆動回路と、駆動回路に電力を供給する充電池と、その他の部品とを筐体５１の内部空間に備えている。
【００１３】
図２に示すように、吸引部５は、掃除機本体３の使用者が把持する把持部２１と、使用者が把持部２１を把持する際に親指を除く指を通す指通し部２５と、使用者が把持部２１を把持しながら親指で操作可能に設けられた操作部２３とを有している。吸引部５は、延長パイプ４が接続されるパイプ接続部３８を有している。パイプ接続部３８には、取り外しレバー１１が設けられている。図２中の正面図に示すように、取り外しレバー１１は、掃除機本体３の正面側に設けられている。取り外しレバー１１は、吸引部５から延長パイプ４を取り外す際に掃除機本体３の使用者が操作するレバーである。
【００１４】
パイプ接続部３８には、ブラシ部１５が設けられている。ブラシ部１５は、所定範囲で回転可能にパイプ接続部３８に取り付けられている。ブラシ部１５は、延長パイプ４を取り外した吸引部５がハンディ型掃除機の一態様（ブラシタイプ）として使用される際に用いられる。
【００１５】
吸引部５は、パイプ接続部３８が設けられた側の端部と、把持部２１が設けられた側の端部とのほぼ中間部に第１排気口群１９と第２排気口群２０とを有している。第１排気口群１９は掃除機本体３の右側面側に設けられ、第２排気口群２０は掃除機本体３の左側面側に設けられている。第１排気口群１９及び第２排気口群２０は、パイプ接続部３８の先端に設けられた吸引口（図２では不図示）から吸引した空気を排気するために設けられている。
【００１６】
吸引部５は、第１排気口群１９及び第２排気口群２０と、パイプ接続部３８との間に設けられた集塵部カバー１７と、筐体５１に対して集塵部カバー１７を開放するためのカバーボタン１３とを有している。集塵部カバー１７は、掃除機本体３の正面側に設けられている。集塵部カバー１７は、筐体５１の内部空間に設けられて吸引口から吸引した塵埃を一時的に集塵する集塵部（不図示）を覆うようになっている。カバーボタン１３を押し下げることにより、集塵部カバー１７は筐体５１に対して開放され、集塵部は外部空間に露出される。
【００１７】
掃除機本体３は、吸引部５の外表面の一部に設けられた接触部３１を有している。接触部３１は、掃除機本体３の背面側に設けられている。接触部３１は、筐体５１の外表面から外側に向かって突出して形成されている。接触部３１は、把持部２１が設けられた側の吸引部５の端部寄りに設けられている。
【００１８】
掃除機本体３は、吸引部５の外表面の一部に設けられ、吸引部５の転がりを防止する転がり防止部３２を有している。転がり防止部３２は、掃除機本体３の背面側に設けられている。転がり防止部３２は、筐体５１の外表面から外側に向かって突出して設けられている。転がり防止部３２は、パイプ接続部３８が設けられた側の端部と、把持部２１が設けられた側の端部とのほぼ中間部に設けられている。転がり防止部３２の詳細については後述する。
【００１９】
掃除機本体３は、吸引部５の外表面の一部に設けられた配線配置部３３を有している。配線配置部３３は、掃除機本体３の背面側に設けられている。配線配置部３３は、筐体５１の外表面から外側に向かって突出して形成されている。配線配置部３３は、転がり防止部３２からパイプ接続部３８が設けられた端部側に向かって延伸して設けられている。配線配置部３３の詳細については後述する。
【００２０】
転がり防止部３２と接触部３１との間には、掃除機の製造番号や使用者への注意書きなどが記載されたラベルを貼付するラベル貼付部３７が設けられている。
【００２１】
延長パイプ４は、円筒形状を有している。吸引部５に接続される側の延長パイプ４の端部は、吸引口からパイプ接続部３８に挿入できるように形成されている。
また、吸引ヘッド部２が接続される側の延長パイプ４の端部には、延長パイプ４から吸引ヘッド部２を取り外す際に掃除機本体３の使用者が操作する取り外しレバー１２が設けられている。
【００２２】
延長パイプ４は、吸引部５とほぼ同じ長さに形成されている。これにより、延長パイプ４は、吸引部５の大きさを基にして作製された、掃除機１の販売用の箱内で斜めにすることなく吸引部５とほぼ平行に並べて収納できる。このため、延長パイプ４は、販売用の箱に吸引部５を収納した後に、吸引部５近傍の空き空間に収納されることができるので、販売用の箱内に掃除機１を収納する収納作業が煩雑になるのが防止される。さらに、販売用の箱内で吸引部５の上方又は下方で延長パイプ４を斜めに配置する必要がない分、販売用の箱の小型化を図ることができる。これにより、掃除機１の販売者や購入者は、販売用の箱を手軽に持ち運びすることができる。
【００２３】
吸引ヘッド部２は、清掃時に床に配置されるヘッド本体１４と、ヘッド本体１４に所定の回転範囲で回転可能に取り付けられた継手部１６とを有している。ヘッド本体１４の内部には、床面側を開口端とし、外部から空気を吸い込む吸込空間１４ａが形成されている（図２中の底面図参照）。継手部１６は円筒形状を有しており、継手部１６の内部空間は吸込空間１４ａと連通している。
【００２４】
吸引ヘッド部２は、一般的な電気掃除機のヘッド部と異なり、ヘッド本体１４の吸込空間１４ａ内に回転ブラシを備えていない。本実施形態による掃除機１は、吸込空間１４ａ内に、吸込空間１４ａの長手方向を回転軸とする渦巻き状の気流を発生させ、発生させた気流によって床に散らばる塵埃をかき出すことができる。延長パイプ４を介して吸引ヘッド部２を接続すると、吸込空間１４ａは、継手部１６の内部空間及び延長パイプ４の内部空間を介して吸引部５の集塵部と連通される。これにより、吸引ヘッド部２でかき出された塵埃は、空気とともに吸引部５の集塵部へと吸引される。
【００２５】
延長パイプ４に接続される側の継手部１６の端部は、パイプ接続部３８に挿入される側の延長パイプ４の端部と同じ形状に形成されている。このため、継手部１６の端部は、延長パイプ４及びパイプ接続部３８に挿入できる。
【００２６】
図１に戻って、図１（ｂ）中に太矢印で示すように、掃除機１は、収納時や充電時に、掃除機本体３を吸引ヘッド部２で支えて床βに置いた状態で壁α側に寄せられて壁αに沿うように立て掛けられる。これにより、掃除機本体３に設けられた接触部３１の凸部３１ａは、壁αに取り付けられた壁置き部品８に設けられた凹部８１に接触する。詳細は後述するが、掃除機１は、掃除機本体３及び壁置き部品８に分離して備えられて掃除機本体３を壁αに立て掛けた状態で保持する状態保持部４０（図１では不図示）を有している。状態保持部４０は、接触部３１が壁置き部品８に接触して凸部３１ａが凹部８１で受けられることにより、掃除機本体３を壁αに立て掛けた状態で保持できる。掃除機１はこの状態で収納され、この状態で必要に応じて充電池が充電される。
【００２７】
［吸引部の構造的構成］
次に、掃除機本体３に設けられた吸引部５の構成について、図３から図１４を用いて説明する。図３（ａ）は吸引部５の正面図であり、図３（ｂ）は吸引部５の背面図である。図４（ａ）は吸引部５の左側面図であり、図４（ｂ）は吸引部５の右側面図である。図５は、図３（ａ）中に示すＢ−Ｂ線で切断した吸引部の断面図である。
【００２８】
（把持部）
図３及び図４に示すように、吸引部５は、長辺部分が曲面状の直方体形状を有している。すなわち、吸引部５は、直方体の長辺部分がＲ面取りされた形状を有している。吸引部５は、正面、背面、左側面及び右側面が曲面状に形成されている。吸引部５は、パイプ接続部３８が設けられた端部側から徐々に膨らみ、第１排気口群１９及び第２排気口群２０が形成されたほぼ中央部分で最大幅となり、把持部２１が設けられた側の端部に向かって徐々に窄まる形状を有している。
【００２９】
吸引部５は、外気を吸引する吸引口３８ａが形成された筐体５１を備えている。筐体５１は、第１筐体部材５１ａと、第２筐体部材５１ｂとを有している。第１筐体部材５１ａ及び第２筐体部材５１ｂは、複数のねじＮ１によって互いに固定されている（図４（ａ）参照）。
【００３０】
把持部２１は、筐体５１に設けられている。把持部２１は、老若男女を問わず掃除機１を使用する対象者が十分に握れる太さに形成されている。また、把持部２１と筐体５１の背面側との間に設けられた指通し部２５は、掃除機１の使用対象者が円滑に指を通すことができる大きさに形成されている。吸引部５は、指通し部２５に親指を除く指を通した状態で把持部２１を使用者に握られるようになっている。指通し部２５の操作部２３近傍には、操作部２３側に迫り出す指案内部２１ａが設けられている（図４（ａ）及び図４（ｂ）参照）。指案内部２１ａは、掃除機１の使用者が把持部２１を握った時に人差し指の配置場所を案内するために設けられている。
【００３１】
（操作部）
吸引部５に設けられた操作部２３は、第１操作ボタン２３ａ、第２操作ボタン２３ｂ及び第３操作ボタン２３ｃを有している。第１操作ボタン２３ａは、固定された吸引力で吸引部５を動作させるためのボタンである。第２操作ボタン２３ｂは、床に散らばる塵埃量を検知して吸引力を自動的に変更して吸引部５を動作させるためのボタンである。第３操作ボタン２３ｃは、吸引部５の動作を停止するためのボタンである。掃除機１の使用者が指案内部２１ａに人差し指を配置させて把持部２１を握り、かつ吸引部５の正面側に親指を乗せると、この親指の位置に操作部２３が配置される。第３操作ボタン２３ｃは把持部２１に設けられ、第１操作ボタン２３ａ及び第２操作ボタン２３ｂは、把持部２１からずれた位置に配置されている。掃除機本体３の使用時に使用頻度の高い第１操作ボタン２３ａ及び第２操作ボタン２３ｂが使用者の親指の指先側に配置され、掃除機本体３の使用時に使用頻度の低い第３操作ボタン２３ｃが親指の付け根側に配置される。これにより、掃除機１は、操作部２３の操作性の向上が図られている。
【００３２】
（パイプ接続部）
吸引部５は、延長パイプ４が接続されるパイプ接続部３８を有している。パイプ接続部３８は、延長パイプ４が接続される側の端部が傾斜する円筒形状を有している（図４（ａ）及び図４（ｂ）参照）。パイプ接続部３８は、この端部の正面側が背面側よりも長くなるように傾斜して形成されている。パイプ接続部３８のこの端部には、吸引口３８ａが設けられている。吸引口３８ａは、外部からパイプ接続部３８の内部空間に空気を吸引するための開口部となる。パイプ接続部３８の内部空間は、吸引部５の集塵部９００（図５参照）と連通している。このため、吸引口３８ａからパイプ接続部３８に吸引された空気は、吸引部５の集塵部９００に吸引される。
【００３３】
パイプ接続部３８の正面側には、取り外しレバー１１が設けられている。取り外しレバー１１は、薄板長方形状を有している。図５に示すように、取り外しレバー１１は、ばね部材１１ｂを備えている。取り外しレバー１１はばね部材１１ｂで付勢されている。取り外しレバー１１は、外力が与えられない限り、ばね部材１１ｂの付勢力によってパイプ接続部３８の延伸方向に沿った状態で維持される。
【００３４】
取り外しレバー１１の裏面（パイプ接続部３８の内部空間側の面）には、パイプ接続部３８の内部空間に突出する突出部１１ｃが形成されている。一方、パイプ接続部３８に挿入される延長パイプ４の端部の表面には、この突出部が引っ掛かるように陥没したレバー受け部（不図示）が形成されている。延長パイプ４のこの端部を吸引口３８ａからパイプ接続部３８の内部空間に挿入すると、取り外しレバー１１の突出部が延長パイプ４の表面に接触する。バネ部材１１ｂの付勢力は、延長パイプ４の表面が取り外しレバー１１の突出部１１ｃをパイプ接続部３８の外表面側に押し上げる力に抗することができない。これにより、延長パイプ４の端部をパイプ接続部３８の内部空間に挿入すると、吸引口３８ａ側とは反対側の取り外しレバー１１の端部側が押し上げられる。延長パイプ４の端部をパイプ接続部３８の内部空間に挿入し続けると、延長パイプ４の表面に形成されたレバー受け部が取り外しレバー１１の突出部１１ｃと対向する位置に到達する。そうすると、取り外しレバー１１は延長パイプ４から外力を受けなくなるため、ばね部材１１ｂの付勢力によってパイプ接続部３８の延伸方向に沿った状態に戻る。これにより、取り外しレバー１１の突出部が延長パイプ４のレバー受け部に引っ掛かる。その結果、延長パイプ４は、吸引部５から離れる方向に引っ張られても吸引部５から外れなくなる。
【００３５】
突出部１１ｂが形成された端部とは反対側の取り外しレバー１１の端部には、円形状に僅かに陥没する指案内部１１ａが形成されている。取り外しレバー１１を付勢しているばね部材１１ｂの付勢力は、掃除機１の使用者の力に抗するほどには強くない。このため、取り外しレバー１１は、掃除機１の使用者が指案内部１１ａをパイプ接続部３８側に押し下げた分だけ突出部１１ｃが設けられた端部側がパイプ接続部３８から離れる方向に持ち上がる。パイプ接続部３８に延長パイプ４が取り付けられた状態で、掃除機１の使用者が指案内部１１ａをパイプ接続部３８側に押し下げると、取り外しレバー１１の突出部１１ｃが延長パイプ４のレバー受け部に引っ掛かっている状態が解除される。これにより、掃除機１の使用者が指案内部１１ａを押し下げながら吸引部５から遠ざかる方向に延長パイプ４を引っ張ると、延長パイプ４はパイプ接続部３８から外れる。
【００３６】
吸引ヘッド部２に設けられた継手部１６の端部は、吸引部５に挿入される側の延長パイプ４の端部と同じ形状に形成されている。このため、吸引ヘッド部２は、延長パイプ４と同様の原理によって吸引部５に着脱できる。これにより、吸引部５は、吸引ヘッド部２を取り付けた態様のハンディ型掃除機として使用できる。
【００３７】
取り外しレバー１２が設けられた側の延長パイプ４の端部は、傾斜して形成されていない点を除いて、パイプ接続部３８の端部と同じ構造を有している。また、取り外しレバー１２は、長さが異なるものの、取り外しレバー１１と同じ構造を有している。このため、吸引ヘッド部２は、パイプ接続部３８と同様の原理によって延長パイプ４に着脱できる。
【００３８】
図３及び図４に戻って、パイプ接続部３８には、ブラシ部１５が設けられている。ブラシ部１５は、パイプ接続部３８に対して回転するための回転軸（不図示）を備えた回転部１５ａと、回転部１５ａの先端に設けられた穂先部１５ｂとを有している。ブラシ部１５は、吸引ヘッド部２が直接又は延長パイプ４を介して吸引部５に接続されている場合には、パイプ接続部３８の左側面側、背面側及び右側面側を囲むように配置される（図３（ｂ）、図４（ａ）及び図４（ｂ）参照）。一方、ブラシ部１５は、吸引ヘッド部２及び延長パイプ４を接続せずに吸引部５をブラシタイプのハンディ型掃除機として用いる場合には、パイプ接続部３８の左側面側、正面側及び右側面側であって吸引口３８ａを囲むように配置される。ブラシ部１５が吸引口３８ａを囲むように配置されると、穂先部１５ｂの先端を含む面は、吸引口３８ａが形成されたパイプ接続部３８の端面とほぼ平行に配置される。このため、穂先部１５ｂの先端を被清掃面に接触させることにより、吸引口３８ａは被清掃面にほぼ対面して配置される。これにより、吸引部５は、被清掃面上に散らばる塵埃を穂先部１５ｂでかき出しながら効率よく吸引することができる。
【００３９】
（集塵部カバー）
図３（ａ）及び図４に示すように、吸引部５に設けられた集塵部カバー１７は、吸引部５の正面側の一部、左側面側一部及び右側面側の一部に亘って設けられている。集塵部カバー１７は、吸引部５の正面視で、長方形状を有している。図５に示すように、筐体５１の内部空間であって把持部２１側の集塵部カバー１７の短辺近傍には、ばね部材（不図示）を備えた回転機構５１０が設けられている。回転機構５１０は、集塵部カバー１７を筐体５１に対して回転可能に保持している。集塵部カバー１７は、外力が与えられないと回転機構５１０のばね部材の付勢力によって筐体５１にほぼ直交する状態で保持される。集塵部カバー１７が筐体５１に対してほぼ直交する状態に保持されると、筐体５１を開口して筐体５１の内部空間に設けられた集塵部９００が外部に露出される。
【００４０】
一方、筐体５１には、パイプ接続部３８側の集塵部カバー１７の短辺近傍に集塵部９００側に向かって飛び出す飛出部１３０が設けられている。飛出部１３０は、集塵部カバー１７のこの短辺近傍とカバーボタン１３との間に配置されている。飛出部１３０は、カバーボタン１３を押し下げていない通常状態では集塵部９００側に飛び出した状態で維持されている。飛出部１３０は、カバーボタン１３が押し下げられるのに連動してパイプ接続部３８側に後退するように構成されている。カバーボタン１３の下方には、ばね部材１３ａが設けられている。カバーボタン１３は、ばね部材１３ａの付勢力によって通常は押し下げられていない状態で維持されている。このため、飛出部１３０は、カバーボタン１３に外力が加えられず、かつ集塵部９００を集塵部カバー１７で塞ぐ時を除いて、集塵部９００側に飛び出した状態で維持される。
【００４１】
ここで、集塵部カバー１７の概略構成について図６を用いて説明する。図６は、集塵部カバー１７の正投影図であり、図６中上段には、集塵部カバー１７の平面図が図示され、図６中中段には、左から集塵部カバー１７の左側面図、正面図、右側面図及び背面図がこの順に図示され、図６中下段には、集塵部カバー１７の底面図が図示されている。
【００４２】
図６に示すように、集塵部カバー１７は、外部に露出する蓋部１７１と、蓋部１７１の裏面側に設けられ集塵部９００（図６では不図示）側に向けられるパッキン配置部１７４とを備えている。パッキン配置部１７４は、長方形状の２重の枠構造を有している。パッキン（不図示）は、この２重の枠構造に挟み込まれて配置される。集塵部カバー１７を筐体５１に取り付けた際に把持部２１側に配置される集塵部カバー１７の短辺側には、パッキン配置部１７４から外側に向かって所定形状に折り曲げられた一対の軸受け部１７３が設けられている。一対の軸受け部１７３は、筐体５１に設けられた回転機構５１０（図５参照）の回転軸に取り付けられる。これにより、集塵部カバー１７は、回転機構５１０に回転可能に保持される。
【００４３】
集塵部カバー１７は、集塵部カバー１７の他方の短辺側であって、パッキン配置部１７４に囲まれた領域の一部に設けられた中空突起部１７２を備えている。中空突起部１７２は、パッキン配置部１７４が形成された蓋部１７１の面から突出して形成されている。中空突起部１７２は、集塵部カバー１７で集塵部９００を塞いだときに、集塵部９００に配置される塵埃収集部９（図５参照、詳細は後述）を集塵部９００に押さえ付けるようになっている。
【００４４】
中空突起部１７２が設けられている側の集塵部カバー１７の短辺側には、パッキン配置部１７４から外側に向かって突出して形成された飛出受け部１７５が設けられている。飛出受け部１７５は、楔形状に形成されている。飛出受け部１７５は、蓋部１７１に対向する長方形状の平坦面と、この平坦部からパッキンが取り付けられる側のパッキン配置部１７４の端部に向かって傾斜する傾斜面とを有している。飛出受け部１７５は、集塵部カバー１７で集塵部９００を塞いだときに飛出部１３０が飛び出す位置に対応する場所に設けられている。露出された集塵部９００を塞ぐように集塵部カバー１７を筐体５１側に倒すと、飛出部１３０は、飛出受け部１７５の傾斜面に押さえ付けられる。カバーボタン１３のばね部材１３ａは、飛出部１３０が飛出受け部１７５から受ける力に抗することができない。このため、飛出部１３０は一旦、パイプ接続部３８側に後退する。しかしながら、集塵部カバー１７が集塵部９００を塞いだ状態で筐体５１に接触すると、飛出部１３０は、飛出受け部１７５の平坦面と蓋部１７１との間の空間に位置されて外力を受けなくなる。このため、ばね部材１３ａが元の状態に戻るためにカバーボタン１３を押し上げる。飛出部１３０は、カバーボタン１３の押し上げによって飛び出した状態に戻り、飛出受け部１７５と蓋部１７１との間に突出した状態を維持する。集塵部カバー１７は、回転機構５１０によって立ち上がろうとするが、飛出部１３０は、飛出受け部１７５の平坦面に引っ掛かる。回転機構５１０のばね部材の付勢力は、飛出部１３０が飛出受け部１７５に引っ掛かった状態を解除するほどには強くない。このため、飛出部１３０が飛出受け部１７５に引っ掛かかると、集塵部カバー１７は集塵部９００を塞いだ状態で筐体５１に保持される。集塵部カバー１７が集塵部９００を塞いだ状態で筐体５１に保持されているときに、カバーボタン１３が押し下げられると、飛出部１１３０がパイプ接続部３８側に後退するので、飛出部１３０が飛出受け部１７５に引っ掛かっている状態が解除される。これにより、集塵部カバー１７は、回転機構５１０の付勢力によって回転機構５１０の一部を回転軸として回転し、筐体５１に対してほぼ直交する状態となる。これにより、集塵部９００が外部に露出される。
【００４５】
パッキン配置部１７４は、集塵部９００の内部空間を外部と連通させる開口よりも一回り大きく形成されている。このため、集塵部カバー１７が集塵部９００を塞ぐと、パッキン配置部１７４に配置されたパッキンは、集塵部９００の開口の周りに配置された筐体５１の一部と密着する。これにより、集塵部９００の内部空間の密閉度が向上して、吸引部５の吸引力が向上する。吸引部５の吸引力が向上すると、吸引ファン６２（詳細は後述）を回転するモータ６１（詳細は後述）の回転数を減少させることができるので、低消費電力化を図ることができる。これにより、吸引部５の動作期間が長くなるので、掃除機１の操作性の向上を図ることができる。
【００４６】
（塵埃収集部）
図５に戻って、集塵部９００を形成する空間は、パイプ接続部３８の内部空間３８ｂと連通されている。このため、吸引口３８ａから吸引された空気は集塵部９００に到達できる。また、集塵部９００を形成する空間とパイプ接続部３８の内部空間３８ｂとの境界には、塵埃収集部９が着脱可能に配置される。集塵部９００との境界部であってパイプ接続部３８の端部には、パッキン３８０が取り付けられている。塵埃収集部９は、パッキン３８０に密着した状態で集塵部９００に配置される。これにより、パイプ接続部３８と塵埃収集部９との密着度の向上が図られている。塵埃収集部９には、塵埃収集部９を集塵部９００に取り付けた際にパイプ接続部３８の内部空間３８ｂと対応する位置に開口が設けられている。このため、吸引口３８ａから吸気された空気及び塵埃は、塵埃収集部９の内部に流入される。塵埃収集部９は、集塵袋（不図示）を装着した状態で集塵部９００に配置される。集塵袋は、空気を通過させるのに対して塵埃を通過させないように構成されている。このため、塵埃収集部９の内部に流入された空気は、集塵袋を通って集塵部９００に流れ込む。一方、塵埃収集部９の内部に流入された塵埃は、集塵袋に収集されて集塵部９００に流れ込まないようになっている。
【００４７】
ここで、塵埃収集部９の概略構成について図５を参照しつつ図７及び図８を用いて説明する。図７は、送風された空気が流出される側から見た塵埃収集部９の斜視図である。図８は、塵埃収集部９の正投影図であり、図８中上段には、塵埃収集部９の平面図が図示され、図８中中段には、左から塵埃収集部９の左側面図、正面図、右側面図及び背面図がこの順に図示され、図８中下段には、塵埃収集部９の底面図が図示されている。
【００４８】
図７及び図８に示すように、塵埃収集部９は、中央部に貫通孔９１１ｃを備えて矩形状に形成された板状部９１と、板状部９１に形成された貫通孔９１１ｃの内壁と一体に形成された内壁を備えて板状部９１から突出して形成された筒部９２とを有している。板状部９１に形成された貫通孔９１１ｃがパイプ接続部３８の内部空間３８ｂと対応する位置に設けられた開口となる。また、貫通孔９１１ｃと一体に形成された内壁を備える筒部９２は、パイプ接続部３８の内部空間３８ｂを通過した空気を集塵部９００に流通させる流路となる。また、集塵袋は、空気が流出する側の端部側から筒部９２を覆うように取り付けられる。集塵袋は、例えば不織布を用いて袋状に形成されている。これにより、筒部９２を通って集塵袋の内部に流入した空気は、集塵袋の外部に流れることができるが、筒部９２を通って集塵袋の内部に流入した塵埃は、集塵袋の外部に流れることができず集塵袋の内部に集められる。
【００４９】
塵埃収集部９は、集塵袋を保持する袋保持部９３を備えている。袋保持部９３は、板状部９１に固定されて筒部９２の外表面に向かって延びて形成された延伸保持部材９３１ａ，９３１ｂを有している。延伸保持部材９３１ａ及び延伸保持部材９３１ｂは、所定の間隙を設けて配置されている。延伸保持部材９３１ａ，９３１ｂは、筒部９２の外表面との接触部から先端までは筒部９２から遠ざかるように形成されている。つまり、延伸保持部材９３１ａ，９３１ｂは、筒部９２から遠ざかるように折り曲げられた端部を備えている。
【００５０】
塵埃収集部９は、筒部９２を挟んで袋保持部９３に対向配置され集塵袋を保持する袋保持部９４を備えている。袋保持部９４は、板状部９１に固定されて筒部９２の外表面に向かって延びて形成された延伸保持部材９４１ａ，９４１ｂを有している。延伸保持部材９４１ａ及び延伸保持部材９４１ｂは、所定の間隙を設けて配置されている。延伸保持部材９４１ａ，９４１ｂは、筒部９２の外表面との接触部から先端までは筒部９２から遠ざかるように形成されている。つまり、延伸保持部材９４１ａ，９４１ｂは、筒部９２から遠ざかるように折り曲げられた端部を備えている。
【００５１】
延伸保持部材９３１ａ，９３１ｂ, ９４１ａ，９４１ｂは、弾性力を備えている。このため、集塵袋は、延伸保持部材９３１ａ，９３１ｂ, ９４１ａ，９４１ｂと筒部９２との間に挟まれて塵埃収集部９に取り付けられると、延伸保持部材９３１ａ，９３１ｂ, ９４１ａ，９４１ｂの弾性力によって筒部９２の外表面に押さえつけられる。これにより、袋保持部９３，９４は、筒部９２を通って流入する空気の空気圧によって塵埃収集部９から集塵袋が外れてしまうのを防止できる。また、集塵袋が取り付けられた塵埃収集部９が集塵部９００に配置されたり取り外されたりしても、袋保持部９３，９４は、集塵袋が塵埃収集部９から外れてしまうのを防止できる。
【００５２】
また、延伸保持部材９３１ａ，９３１ｂ, ９４１ａ，９４１ｂの端部は、折れ曲がっているので、袋保持部９３，９４は、延伸保持部材９３１ａ，９３１ｂ, ９４１ａ，９４１ｂと筒部９２との間に集塵袋を挿入され易くなっている。
【００５３】
板状部９１は、対向する一対の辺の一方から他方に向かって厚さが薄くなる楔形状を有している。図８中の左側面図及び右側面図に示すように、筒部９２は、板状部９１にほぼ直交して形成されている。筒部９２が形成されない側の板状部９１の面は、筒部９２の延伸方向に対して傾斜している。また、板状部９１は、厚さが厚い方の側端部の両端に曲面状の切欠き部９１１ａ，９１１ｂを有している。塵埃収集部９は、板状部９１の厚さの薄い端部側から集塵部９００に挿入されるので、切欠き部９１１ａ，９１１ｂは、塵埃収集部９を集塵部９００に着脱する際に掃除機１の使用者が指で摘まむ摘み部として用いられる。
【００５４】
図５に戻って、塵埃収集部９を集塵部９００に設置した後に集塵部カバー１７で集塵部９００を塞ぐと、集塵部カバー１７に形成された中空突起部１７２は、板状部９１の厚さが最も厚い側端部に接触する。このため、集塵部カバー１７は、塵埃収集部９を集塵部９００に押さえ付けて固定できる。これにより、吸引部５の動作時に塵埃収集部９が集塵部９００で動いてしまうのを防止できるので、集塵部９００の密閉度が向上される。
【００５５】
集塵部９００の開口端側であってパッキン３８０近傍には、薄板部材１５３が配置されている。薄板部材１５３は、塵埃収集部９が集塵部９００に配置されていない場合には、筐体５１に取り付けられたばね部材（不図示）によって集塵部９００の開口端側に傾いて付勢される。このため、塵埃収集部９が集塵部９００に配置されていない状態で集塵部カバー１７が集塵部９００を塞ごうとしても、中空突起部１７２が薄板部材１５３に衝突してしまい、集塵部カバー１７を閉じることができない。これにより、吸引部５は、塵埃収集部９が集塵部９００に配置されていない状態で使用できない。このように、薄板部材１５３は、吸引部５、すなわち掃除機本体３の誤動作を防止できる。
【００５６】
塵埃収集部９が集塵部９００に配置されると、図５に示すように、薄板部材１５３は、板状部９１の傾斜面によってパイプ接続部３８が設けられている側に押し倒される。これにより、集塵部９００が集塵部カバー１７によって塞がれる際に、中空突起部１７２は薄板部材１５３に衝突せずに板状部９１に接触することができる。
【００５７】
（送風手段）
次に、吸引部５の筐体の内部空間に設けられた送風手段について図５を参照しつつ図１０を用いて説明する。図１０は、吸引ファン６２の吸引力を向上させる空気案内部６３の斜視図である。
【００５８】
図５に示すように、吸引部５は、掃除機本体３内に空気を吸引して気流を発生させる吸引ファン６２と、吸引ファン６２を駆動するモータ６１と、吸引ファン６２の吸引力を向上させる空気案内部６３とを有している。モータ６１、吸引ファン６２及び空気案内部６３によって送風手段が構成される。モータ６１、吸引ファン６２及び空気案内部６３は、筐体５１の内部空間に配置されている。モータ６１は、筐体５１の内部空間の一部であるモータ配置領域６５０に配置されている。吸引ファン６２は、筐体５１の内部空間の他の一部であるファン配置領域６００に配置されている。
【００５９】
モータ配置領域６５０には、モータ６１を配置するモータ配置部６０１が設けられている。モータ配置部６０１は、筐体５１に一体に形成されている。モータ６１は、モータケースなどに収容された状態ではなく剥き出しの状態でモータ配置部６０１に配置されている。モータ配置部６０１は、モータ６１に電力を供給するための電力供給端子側に設けられた第１配置部材６０１ａと、吸引ファン６２が取り付けられる回転軸部材が突出する側に設けられた第２配置部材６０１ｂとを有している。モータ６１は、第１配置部材６０１ａ及び第２配置部材６０１ｂに挟まれて筐体５１に固定されている。第１配置部材６０１ａは、モータ６１の電源供給端子側の一部を支持し、第２配置部材６０１ｂは、モータ６１の回転軸部材が突出する側の一部を支持している。モータ６１は、モータ配置領域６５０において、一部分が第１配置部材６０１ａ及び第２配置部材６０１ｂで支持され、残余の部分が筐体５１の内部空間内に露出されている。
【００６０】
ファン配置領域６００は、第１仕切板５０１及び第２仕切板５０２によって筐体５１の他の内部空間と仕切られた領域である。第１仕切板５０１及び第２仕切板５０２は、筐体５１と一体に形成されている。第１仕切板５０１は、ファン配置領域６００とモータ配置領域６５０とを仕切っている。第２配置部材６０１ｂは第１仕切板５０１と一体に形成されている。第１仕切板５０１には、モータ６１の回転軸部材をファン配置領域６００に挿入させるための開口が設けられている。これにより、吸引ファン６２は、モータ６１の回転軸部材に固定されて、モータ６１の回転軸部材の回転に伴って回転できるようになる。第２仕切板５０２は、ファン配置領域６００と集塵部９００とを仕切っている。第２仕切板５０２には、塵埃収集部９から集塵部９００に導入された空気をファン配置領域６００に導くために開口が設けられている。この開口には、空気案内部６３の一部が露出している。
【００６１】
吸引ファン６２は、モータ６１が回転することによって回転し、中央より吸い込んだ空気を外周に向かって吹き出す遠心ファンである。吸引ファン６２は、薄板形状の第１円盤部材６２１と、第１円盤部材６２１が配置された側とは反対側に中央部分が曲面状に傾斜する第２円盤部材６２２とを有している。第１円盤部材６２１と第２円盤部材６２２とは、所定の間隙を設けて対向配置されている。第１円盤部材６２１の中央には、モータ６１の回転軸部材と接続されるコア部材６２４が設けられている。
【００６２】
吸引ファン６２は、第１円盤部材６２１及び第２円盤部材６２２の間に配置された複数の羽部材６２３を有している。複数の羽部材６２３は、第１円盤部材６２１及び第２円盤部材６２２の中心側から外周側に向かう湾曲した放射状に形成されている。第２円盤部材６２２の中央には開口部６２ａが形成されている。吸引ファン６２は、開口部６２ａから空気を吸引し、吸引した空気を隣り合う羽部材４２３の間を介して、第１円盤部材６２１及び第２円盤部材６２２の外周に向かって吹き出すようになっている。
【００６３】
図９に示すように、空気案内部６３は、全体的に薄板円形状を有している。空気案内部６３は、吸引ファン６２の第２円盤部材６２１側に配置されている。空気案内部６３は、吸引ファン６２が載置される載置部６３１を有している。載置部６３１は、第２円盤部材６２１の外表面に倣う形状に形成されている。このため、吸引ファン６２は、空気案内部６３上に載置された状態で円滑に回転することができる。載置部６３１の中央には開口部６３ａが形成されている。吸引ファン６２は、載置部６３１に形成された開口部６３ａ及び第２円盤部材６２２に形成された開口部６２ａを介して空気を吸い込む。空気案内部６３は、載置部６３１の裏面側（集塵部９００が設けられている側）に形成された複数の第１棒状部材６３３と、開口部６３ａに形成された複数の第２棒状部材６３２とを有している。空気案内部６３を集塵部９００側から見ると、第２棒状部材６３２の周りに第１棒状部材６３３が配置されているように見える。第１棒状部材６３３と第２棒状部材６３２との間には、第２仕切板５０２の厚さよりも若干長い間隙が設けられている。
【００６４】
図５に戻って、空気案内部６３は、第１棒状部材６３３と第２棒状部材６３２との間隙に第２仕切板５０２を挟み込んだ状態で筐体５１に設置されている。これにより、塵埃収集部９から集塵部９００に排出された空気のほとんどは、開口部６３ａ及び開口部６２ａを介して吸引ファン６２に吸引される。例えば一旦ファン配置領域６００に流入した後に開口部６２ａに流入するというような経路で吸引ファン６２に吸引される空気はほとんどなくなる。このため、吸引ファン６２の吸引効率が向上される。
【００６５】
空気案内部６３は、第１棒状部材６３３と第２棒状部材６３２との間隙に第２仕切板５０２を挟み込んでいるので、載置部６３１及び第１棒状部材６３２が形成された部分はファン配置領域６００に配置され、第２棒状部材６３２が形成された部分は集塵部９００に配置されている。集塵部９００には、第２棒状部材６３２に接触させたフィルタ５２が設けられている。第２棒状部材６３２が設けられているので、フィルタ５２が空気案内部６３の開口部６３ａに密着するのが防止される。これにより、吸引ファン６２の吸引力の低下が防止される。
【００６６】
（第１排気口群及び第２排気口群）
次に、第１排気口群及び第２排気口群について図４を参照しつつ図１０を用いて説明する。図１０は、図３（ａ）中に示すＡ−Ａ線で切断した吸引部５の断面図である。吸引部５は、吸引ファン６２を回転させることによって吸引ヘッド部２や吸引口３８ａから集塵部９００に向かう気流を発生させる。掃除機本体３は、吸引部５の筐体５１の内部空間に発生させた気流を外部に排気する第１排気口群１９及び第２排気口群２０を有している。第１排気口群１９及び第２排気口群２０は、ファン配置領域６００に形成されている。吸引ファン６２によって集塵部９００から吸引された空気は、吸引ファン６２の外周囲からファン配置領域６００内に排出される。このため、ファン配置領域６００内の気圧が高まり、ファン配置領域６００内に排出された空気は、第１排気口群１９及び第２排気口群２０を介して外部に排気される。
【００６７】
図４及び図１０に示すように、第１排気口群１９及び第２排気口群２０は、互いに異なる形状に形成されている。第１排気口群１９は、吸引部５の左側面側に形成され（図４（ａ）参照）、第２排気口群２０は、吸引部５の右側面側に形成されている（図４（ｂ）参照）。第１排気口群１９は、筐体５１の厚さ方向に対して斜めに形成された複数の第１排気口１９ａを備え、第２排気口群２０は、筐体５１の厚さ方向に形成された複数の第２排気口２０ａを備えている（図５参照）。このように、筐体５１の一部には、筐体５１の厚さ方向に対して斜めに形成された第１排気口１９ａが形成されている。第１排気口群１９及び第２排気口群２０は、吸引ファン６２の周囲に配置されている。これにより、筐体５１の内部に吸引した空気の排気口率の向上が図られている。また、第１排気口１９ａが筐体５１の厚さ方向に対して斜めに形成されていることにより、掃除機本体３の使用者が吸引部５を右手に持った場合に、第１排気口群１９からの排気がこの使用者に向かって噴き出されるのが防止される。
【００６８】
（転がり防止部）
次に、転がり防止部について図３及び図４を再び用いて説明する。図３（ｂ）に示すように、転がり防止部３２は、吸引部５の背面（吸引部の外表面の一例）の一部に設けられて吸引部５の転がりを防止するようになっている。転がり防止部３２は、吸引部５が転がって回転する方向に沿って設けられている。本実施形態では、吸引部５は、吸引部５の短手方向に転がりやすい。このため、転がり防止部３２は、吸引部５の短手方向に延伸して形成されている。換言すると、転がり防止部３２は、吸引部５の側面が並ぶ方向に延伸して形成されている。転がり防止部３２は、吸引部５の背面から突出して形成されている（図４（ａ）及び図４（ｂ）参照）。吸引部５が置かれた場所（例えば床面）に接触される転がり防止部３２の接触面３２ａにおける吸引部５の短手方向（一の方向の一例）の曲率は、吸引部５の短手方向と同方向の吸引部５の所定領域の曲率よりも小さくなっている。ここで、吸引部５の所定領域は、転がり防止部３２が形成れている面であり、本実施形態では背面が相当する。
【００６９】
吸引部５は、掃除機１の使用者の手触りの感触の向上やデザイン性を考慮して外表面が全体的に曲面状に形成されている。このため、転がり防止部３２が形成されている吸引部５の背面も曲面状に形成されている。転がり防止部３２の接触面３２ａは、転がり防止部３２が設けられた吸引部５の背面よりも上述の曲率が小さい。このため、背面を床面に向けて吸引部５を床に置いた場合に吸引部５が床面に接触する接触面は、転がり防止部３２が形成されていない場合よりも転がり防止部３２が形成されている場合の方が平坦になる。これにより、吸引部５は、転がり防止部３２が形成されていることによって転がり難くなる。
【００７０】
［吸引部の制御に関連する構成］
（制御基板）
吸引部の制御に関連する構成として、制御基板について図５を再び用いて説明する。図５に示すように、掃除機１の全体の制御を司る制御基板７０は、モータ配置部６０１に隣接して配置されている。制御基板７０は、基板取付部７０１に取り付けられて筐体５１の内部空間に配置されている。基板取付部７０１は、把持部２１側に設けられた第１基板支持部材７０１ａと、第１仕切板５０１側に設けられた第２基板支持部材７０１ｂとを備えている。第１基板支持部材７０１ａ及び第２基板支持部材７０１ｂは、筐体５１と一体に形成されている。また、第１基板支持部材７０１ａは第１配置部材６０１ａと一体に形成されている。第２基板支持部材７０１ｂは、第１仕切板５０１と一体に形成されている。
【００７１】
第１基板支持部材７０１ａ及び第２基板支持部材７０１ｂは、制御基板７０の厚さよりも幅が若干広い溝状に形成されている。制御基板７０の一の端部は第１基板支持部材７０１ａの溝に挟み込まれ、制御基板７０の一の端部に対向する端部は第２基板支持部材７０１ｂの溝に挟み込まれて支持されている。基板取付部７０１は、制御基板７０の対向する端部を挟んで筐体５１の内部空間に制御基板７０を保持するようになっている。
【００７２】
（塵埃検知部）
吸引部５は、パイプ接続部３８と集塵部９００との境界近傍に配置された回路基板７２と、パイプ接続部３８を挟んで対向配置された発光素子７３及び受光素子７４とを備えている。発光素子７３及び受光素子７４は、回路基板７２に接続されている。発光素子７３、受光素子７４及び回路基板７２によって塵埃検知部が構成される。受光素子７４は、発光素子７３が発光する光を受光するように構成されている。パイプ接続部３８を通る塵埃は、発光素子７３及び受光素子７４の間を通過することによって発光素子７３が発光する光を遮断する場合がある。そうすると、受光素子７４は発光素子７３の光を受光できず、受光光に基づく検知信号を回路基板７２に送信できない。回路基板７２に設けられた所定回路は、受光素子７４から送信される検知信号に基づいてパイプ接続部３８を通過する塵埃の量を検出し、検出結果を制御基板７０に出力するようになっている。発光素子７３及び受光素子７４は、パイプ接続部３８の側壁に設けられた貫通孔内に配置され、パイプ接続部３８の内部空間３８ｂに配置されていない。このため、パイプ接続部３８の内部空間３８ｂを通過する塵埃が発光素子７３の発光面及び受光素子７４の受光面に付着し難くなっている。これにより、塵埃検知部は、安定して精度よく塵埃を検知できる。
【００７３】
（配線配置部）
図５に示すように、筐体５１の内部空間側における配線配置部３３には、筐体５１の内部空間と連通する空間３３ａが形成されている。空間３３ａは、配線配置部３３の短辺側の両端部で筐体５１の内部空間と連通している。空間３３ａには、回路基板７２と制御基板７０とを接続する配線が配置される。これにより、制御基板７０は、回路基板７２に設けられた駆動回路に電力を供給することができる。また、回路基板７２は、検出した塵埃の量に基づく信号を制御基板７０に送信することができる。掃除機本体３は、筐体５１の内部空間に収納される吸引ファン６２やモータ６１などとの接触を避けつつ、互いに離れて配置された制御基板７０と回路基板７２とを配線によって接続できる。
【００７４】
（塵埃検知表示部）
吸引部５は、集塵部カバー１７と把持部２１との間に設けられた塵埃検知表示部３５を有している。塵埃検知表示部３５は、塵埃検知部によって検知された、吸引部５が吸引する塵埃の量に応じて発光する第１発光部７１の光を外部に照射するために設けられている。第１発光部７１は、異なる色を発光する複数の発光素子で構成されている。複数の発光素子は例えば砲弾型発光ダイオードである。塵埃検知表示部３５は、第１発光部７１の発光面に隣接させて配置された光拡散部３５０及び光反射部３５１とを備えている。制御基板７０に設けられた制御回路（不図示）は、吸引部５が吸引する塵埃の量に応じて、複数の発光素子のいずれかを発光させるようになっている。光拡散部３５０は、第１発光部７１が発光する光を外部に拡散して透過する。
【００７５】
ここで、光拡散部３５０及び光反射部３５１の概略構成について図１１から図１４を用いて説明する。図１１は、光拡散部３５０の斜視図である。図１２は、光拡散部３５０の正投影図である。図１２中上段には、光拡散部３５０の平面図が図示され、図１２中中段には、左から光拡散部３５０の左側面図、正面図及び右側面図がこの順に図示され、図１２中下段には、光拡散部３５０の底面図が図示されている。なお、光拡散部３５０の背面図は、光拡散部３５０の正面図とほぼ同様であるため、図示は省略されている。図１３は、光反射部３５１の斜視図である。図１３は、光反射部３５１の正投影図である。図１３中上段には、光反射部３５１の平面図が図示され、図１３中中段には、左から光反射部３５１の左側面図、正面図、右側面図及び背面図がこの順に図示され、図１３中下段には、光反射部３５１の底面図が図示されている。
【００７６】
図１１及び図１２に示すように、光拡散部３５０は、所定の間隙を設けて対向配置された第１拡散板３５０ａ及び第２拡散板３５０ｂと、第１拡散板３５０ａ及び第２拡散板３５０ｂとを所定の間隙で支持する支持部３５０ｃとを備えている。第１拡散板３５０ａは、薄板長方形状に形成されている。第２拡散板３５０ｂは、四隅がＲ面取りされた薄板長方形状に形成され、第１拡散板３５０ａが配置されている側とは反対側に向かって膨らむ湾曲状を有している。第１拡散板３５０ａは、第１発光部７１に対向配置され、第２拡散板３５０ｂは吸引部５の外側に向けられて配置される。第２拡散板３５０ｂは、湾曲された吸引部５の外表面に沿うように湾曲している。このため、第２拡散板３５０ｂの表面は、第２拡散板３５０ｂが露出する吸引部５の外表面とほぼ面一の状態で配置される。光拡散部３５０は、第１発光部７１が発光した光を第１拡散板３５０ａで拡散する。光拡散部３５０は、第１拡散板３５０ａで拡散した光を、さらに第２拡散板３５０ｂで拡散して吸引部５の外部に拡散する。このため、光拡散部３５０は、第１発光部７１に隣接して配置されているものの、第１発光部７１が発光する光を点状ではなく、第２拡散板３５０ｂの全面で面発光させることができる。これにより、第１発光部７１を光拡散部３５０に近接させて配置できるので、吸引部５、すなわち掃除機本体３の小型化が図られる。
【００７７】
図１３及び図１４に示すように、光反射部３５１は、両端部が開放された側壁３５１ａと、側壁３５１ａから外側に向かって突出する一対の突出部３５１ｂと、一対の突出部３５１ｂの間の側壁３５１ａの一部を切断して形成された切断部３５１ｃとを有している。側壁３５１ａは、正面視で第２拡散板３５０ｂとほぼ同形状に形成されている。また、切断部３５１ｃの幅は、支持部３５０ｃの幅とほぼ同じ長さ形成されている。光拡散部３５０は、第２拡散板３５０ｂが側壁３５１ａの一端部上に配置され、支持部３５０ｃが切断部３５１ｃに挟まれるように配置されて光反射部３５１に組み合わされる。これにより、第１拡散板３５０ａ、第２拡散板３５０ｂ及び側壁３５１ａで囲まれる空間が形成される。第１拡散板３５０ａで拡散されてこの空間に入射した光は、側壁３５１ａで反射されて第２拡散板３５０ｂに入射する。これにより、第１発光部３５の光取り出し効率が向上する。
【００７８】
一対の突出部３５１ｂは、側壁３５１ａを挟んで対向配置されている。一対の突出部３５１ｂは、互いに組み合わされた光拡散部３５０及び光反射部３５１を第１発光部７１に隣接させた状態で筐体５１に取り付けるために用いられる。
掃除機本体３の使用者は、第１発光部３５から照射される発光色を確認することにより、吸引部５が吸引している塵埃の多少を知ることができる。
【００７９】
（電池残量表示部）
図５に戻って、吸引部５は、塵埃検知表示部３５と操作部２３との間に設けられて第２発光部３６０を備えた電池残量表示部３６を有している。第２発光部３６０は、第１操作ボタン２３ａ、第２操作ボタン２３ｂ及び第３操作ボタン２３ｃが設けられた操作基板２３０に実装されている。操作基板２３０は制御基板７０に接続されている。第２発光部３６０は、ファンを駆動するモータなどに電力を供給する充電池（不図示）の残量に応じて発光し、光を外部に照射するために設けられている。吸引部５を使用している際に第２発光部３６０は、充電池の残量が所定量よりも少なくなると点滅し、充電池の残量がゼロになると消灯するように制御される。また、充電池に充電している際に第２発光部３６０は、充電中に発光し、充電が完了すると消灯するように構成されている。このため、掃除機１の使用者は、吸引部５の使用時又は充電池の充電時のいずれかにおいて、電池残量表示部３６から照射される光の状態を確認することにより、充電池の残量などを知ることができる。操作基板２３０は制御基板７０に接続されている。第２発光部３６０は、制御基板７０からの所定の信号に基づいて発光する。
【００８０】
（電池収容部及び電池カバー）
指通し部２５の背面側には、充電池（不図示）を収容する電池収容部４２が設けられている。電池収容部４２は、筐体５１の内部空間に配置されている。電池収容部４２は細長い形状を有している。電池収容部４２は、制御基板７０に接続されて電力を供給するようになっている。
把持部２１側の吸引部５の端部には、筐体５１にねじ止めされた電池カバー４１が設けられている。電池収容部４２は、筐体５１から電池カバー４１を取り外すことによって筐体５１に形成される開口から外部に引き出すことができる。これにより、劣化した充電池を交換する場合や掃除機１を廃棄処分する場合に、吸引部５から充電池を容易に取り除くことができる。
【００８１】
（電源コネクタ）
電池カバー４１近傍の把持部２１の側面には、電源コネクタ３９が設けられている。電源コネクタ３９は、電池収容部４２に電気的に接続されている。電池収容部４２に収容された充電池を充電する際に、電源コネクタ３９には電源ケーブル（不図示）の一端に設けられた電源プラグ（不図示）が挿入される。この電源ケーブルの一端側は、壁面などに設けられて商用電源が供給されるコンセントに接続される。これにより、吸引部５内に設けられた充電池を充電することができる。
【００８２】
［収納時及び充電時の掃除機の態様］
次に、収納時及び充電時の掃除機の態様と、掃除機の収納時及び充電時に用いられる壁置き部品８の詳細な構成について図１及び図３から図５を参照しつつ図１５及び図１６を用いて説明する。
【００８３】
（収納時及び充電時の掃除機の態様）
本実施形態による掃除機１は、掃除機本体３と壁に取り付けられた壁置き部品８とが協働して収納時及び充電時の態様を形成する。上述のとおり、掃除機１は、接触部３１を壁置き部品８に接触させた状態で被立て掛け部（図１では壁α）に立て掛けられる。掃除機１は被立て掛け部に立て掛けられた状態を保持する状態保持部４０を有している。状態保持部４０は、掃除機本体３及び壁置き部品８に分離して備えられている。状態保持部４０は、接触部３１に設けられた第一保持部材４０ａ（図５参照）と、壁置き部品８に設けられて第一保持部材４０ａと協働して掃除機本体３を被立て掛け部に立て掛けた状態で保持する第二保持部材４０ｂ（図１５参照）とを有している。本実施形態では、第一保持部材４０ａは、筐体５１の内部空間側で接触部３１内に配置された磁石であり、第二保持部材４０ｂは、壁置き部品８の、接触部３１と接触する面の裏面側に配置された薄板状に形成された強磁性体である。掃除機本体３を壁置き部品８に接触させて被立て掛け部に立て掛けると、第一保持部材４０ａの磁力によって第一保持部材４０ａと第二保持部材４０ｂとがくっつく。これにより、状態保持部４０は、掃除機本体３を被立て掛け部に立て掛けた状態で保持できる。
【００８４】
（接触部）
図３（ｂ）に示すように、接触部３１は、吸引部５の背面から突出する凸部３１ａと、凸部３１ａから突出する複数（本例では２つ）の突起部３１ｂとを備えている。第一保持部材４０ａは、凸部３１ａ内に配置されている（図５参照）。突起部３１ｂは、転がり防止部３２の延伸方向と同方向に延伸する薄板形状に形成されている。掃除機本体３を壁置き部品８に接触させて被立て掛け部に立て掛けたときに、掃除機本体３が左右方向に横ずれしたとしても、突起部３１ｂが壁置き部品８の凹部８１の周囲に設けられた枠部８２（詳細は後述する）に引っ掛かるので、掃除機本体３の横ずれが防止される。また、突起部３１ｂは、吸引部５の背面を床面に対面させて床に置くと、床面と接触することができる。突起部３１ｂが床面に接触する接触面（突起部３１ｂの側面）は、平坦状に形成されている。これにより、突起部３１ｂは、転がり防止部３２とともに吸引部５の転がりを防止できる。
【００８５】
接触部３１には、第１筐体部材５１ａ及び第２筐体部材５１ｂをねじＮ１によって互いにねじ止めするためのねじ止め部３１ｃが設けられている。
【００８６】
（壁置き部品の構成）
次に、壁置き部品８の概略構成について説明する。図１５は、壁置き部品８の分解斜視図である。図１６は、壁置き部品８の正投影図であり、図１６中上段には、壁置き部品８の平面図が図示され、図１６中中段には、左から壁置き部品８の左側面図、正面図、右側面図及び背面図がこの順に図示され、図１６中下段には、壁置き部品８の底面図が図示されている。
【００８７】
図１５に示すように、壁置き部品８は、掃除機本体３に対向配置される被対向部材８ａと、被対向部材８ａの裏面側に配置された第二保持部材４０ｂと、第二保持部材４０ｂの裏面側に配置された接着シート８ｂとを有している。
【００８８】
状態保持部４０を構成する第二保持部材４０ｂは、薄板正方形状を有している。第二保持部材４０ｂは、被対向部材８ａの裏面側のほぼ全面を覆う大きさを有している。第二保持部材４０ｂの対向する一対の辺にはそれぞれ、長半円形状の切欠き４０１ａ，４０１ｂが形成されている。切欠き４０１ａ，４０１ｂは、第二保持部材４０ｂを被対向部材８ａに重ね合わせる際の位置決めに用いられる。第二保持部材４０ｂには、複数（本例では４つ）の貫通穴ＴＨ１，ＴＨ２，ＴＨ３，ＴＨ４が形成されている。貫通穴ＴＨ１，ＴＨ２，ＴＨ３，ＴＨ４には、第二保持部材４０ｂを被対向部材８ａにねじ止めするためのねじ（不図示）が挿入される。
【００８９】
図１５及び図１６に示すように、壁置き部品８は、凹部８１を囲んで設けられて掃除機本体３が配置される側に向かって突出する枠部８２を備えている。凹部８１及び枠部８２は、被対向部材８ａに形成されている。被対向部材８ａの周縁部には、枠部８２が形成されている。被対向部材８ａには、枠部８２に囲まれて中央領域を占めて設けられた凹部８１が形成されている。第二保持部材４０ｂが配置される側の端部からの凹部８１の高さは、この端部からの枠部８２の高さよりも低くなっている。このため、凹部８１は、被対向部材８ａにおいて枠部８２に対して凹んでいる。凹部８１は平坦形状に形成されている。吸引部５に形成された接触部３１は、枠部８２の内周側であって凹部８１に接触して配置される。第二保持部材４０ｂは、凹部８１の裏面側の全面に配置される。このため、掃除機１を収納又は充電しようとする使用者が、凹部８１内の位置を意識せずに凹部８１に接触部３１を接触しせさえすれば、第一保持部材４０ａの磁力によって第一保持部材４０ａと第二保持部材４０ｂとがくっつく。これにより、状態保持部４０は、掃除機本体３を被立て掛け部に立て掛けられた状態、すなわち掃除機１の収納時及び充電時の少なくともいずれか一方の状態を保持することができる。このように、掃除機１は、極めて簡単な作業により、収納したり充電したりすることができる。
【００９０】
枠部８２は、第１側壁８２ａと、第１側壁８２ａに対向配置された第２側壁８２ｂと、第１側壁８２ａの一端と第２側壁８２ｂの一端との間に配置された第３側壁８２ｃと、第１側壁８２ａの他端と第２側壁８２ｂの他端との間であって第３側壁８２ｃに対向配置された第４側壁８２ｄとを有している。第１側壁８２ａ、第２側壁８２ｂ、第３側壁８２ｃ及び第４側壁８２ｄとは一体に形成されている。
【００９１】
図１６に示すように、第１側壁８２ａ及び第２側壁８２ｂは、接触部３１に接触する凹部８１の表面からの高さが長手方向の中央部で最も高くなる凸形状を有している。第１側壁８２ａ及び第２側壁８２ｂは、土手形状を有している。また、第１側壁８２ａ及び第２側壁８２ｂは、太鼓橋形状を有している。掃除機本体３に対向する第１側壁８２ａ及び第２側壁８２ｂの表面は、曲面状に形成されている。上述の掃除機本体３の左右方向の横ずれは、枠部８２のうちの主に第１側壁８２ａ及び第２側壁８２ｂが突起部３１ｂと接触して防止される。
【００９２】
図１５及び図１６に示すように、壁置き部品８は、枠部８２の一部である第１側壁８２ａ及び第２側壁８２ｂに形成されて第１側壁８２ａ及び第２側壁８２ｂの幅方向に延伸する第１溝部８３ａ及び第２溝部８３ｂを備えている。第１溝部８３ａは、第１側壁８２ａの第４側壁８２ｄ寄りに形成されている。第２溝部８３ｂは、第２側壁８２ｂの第４側壁８２ｄ寄りに形成されている。第１溝部８３ａ及び第２溝部８３ｂは、吸引部５に設けられた充電池を充電するための電源ケーブルを通した状態で受けるケーブル受け部として機能する。吸引部５に備えられた接触部３１は、電源コネクタ３９の近傍に設けられている（図４（ａ）参照）。このため、接触部３１に対向配置される壁置き部品８は、掃除機本体３を被立て掛け部に立て掛けたときに電源コネクタ３９の近傍に配置される。これにより、電源ケーブルを第１溝部８３ａ及び第２溝部８３ｂに通した上で電源コネクタ３９に接続すると、電源コネクタ３９から第２溝部８３ｂまでの電源ケーブルの長さは、吸引部５の左側面の長さ程度になる。電源コネクタ３９が電源ケーブルから受ける負荷は、電源コネクタ３９から第２溝部８３ｂまでの電源ケーブルの長さ分の重量となる。一方、第１溝部８３ａ及び第２溝部８３ｂに電源ケーブルを通さない場合に電源コネクタ３９が電源ケーブルから受ける負荷は、電源ケーブルの全長分の重量となる。このため、電源ケーブルを第１溝部８３ａ及び第２溝部８３ｂに通した上で電源コネクタ３９に接続した場合には、第１溝部８３ａ及び第２溝部８３ｂに電源ケーブルを通さないで電源コネクタ３９に接続した場合と比較して、電源コネクタ３９が電源ケーブルから受ける負荷は小さくなる。これにより、電源コネクタ３９の劣化が防止される。
【００９３】
図１６に示すように、被対向部材８ａの裏面側には、接着シート８ｂが設けられている。壁置き部品８は、接着シート８ｂの粘着力によって被立て掛け部に貼付できるようになっている。このため、壁置き部品８は被立て掛け部に容易に取り付けられることができる。また、壁置き部品８は、第１側壁８２ａに形成された第１貫通穴８４ａと、第２側壁８２ｂに形成された第２貫通穴８４ｂとを有している。壁置き部品８は、第１貫通穴８４ａ及び第２側壁８２ｂに挿入したねじによって被立て掛け部にねじ止めもできるようになっている。
【００９４】
以上説明したように、本実施形態による掃除機１は、掃除機本体３と、掃除機本体３が立て掛けられる被立て掛け部に取り付けられ、掃除機本体３を被立て掛け部に立て掛ける際に掃除機本体３の接触部３１に対向配置される壁置き部品８とを有している。これにより、掃除機１は、掃除機本体３を壁置き部品８に接触させた状態で被立て掛け部に立て掛けるだけで収納されることができる。また、掃除機１は、掃除機本体３を壁置き部品８に接触させた状態で被立て掛け部に立て掛け、電源ケーブルを介して電源コネクタ３９と商用電源が供給されるソケットとを接続するだけで、充電池を充電することができる。これにより、収納時や充電時の掃除機１の操作性が向上される。
【００９５】
本発明は、上記実施形態に限らず、種々の変形が可能である。
第一保持部材４０ａは、筐体５１の内部空間側で接触部３１内に配置された強磁性体であり、第二保持部材４０ｂは、壁置き部品８の、接触部３１と接触する面の裏面側に配置された薄板状に形成された磁石であってもよい。この場合も、上記実施形態と同様の効果が得られる。
【００９６】
状態保持部を構成する第一保持部材及び第二保持部材は磁石や強磁性体に限られない。例えば、第一保持部材及び第二保持部材は、互いに嵌合可能な形状や互いに係止可能な形状を有していてもよい。この場合も、上記実施形態と同様の効果が得られる。
【００９７】
上記実施形態における転がり防止部は、細長い形状を有しているが、本発明はこれに限られない。例えば転がり防止部は、吸引部が回転する方向に、所定の間隔で配置された２つの点状突起部で構成されていてもよい。この構成であっても転がり防止部は、吸引部の転がりを防止できる。
【００９８】
上記実施形態では、塵埃収集部９は、集塵袋を袋保持部９３，９４で筒部９２に押さえつて保持しているが本発明はこれに限られない。例えば、集塵袋は、集塵収集部に引っ掛けられたり貼り付けられたりして保持されてもよい。
【００９９】
本発明の技術的範囲は、図示され記載された例示的な実施形態に限定されるものではなく、本発明が目的とするものと均等な効果をもたらす全ての実施形態をも含む。さらに、本発明の技術的範囲は、請求項により画される発明の特徴の組み合わせに限定されるものではなく、全ての開示されたそれぞれの特徴のうち特定の特徴のあらゆる所望する組み合わせによって画されうる。
【符号の説明】
【０１００】
１  掃除機
２  吸引ヘッド部
３  掃除機本体
４  延長パイプ
５  吸引部
８  壁置き部品
８ａ  被対向部材
８ｂ  接着シート
１１，１２  取り外しレバー
１１ａ，２１ａ  指案内部
１３  カバーボタン
１３ａ  ばね部材
１４  ヘッド本体
１４ａ  吸込空間
１５  ブラシ部
１５ａ  回転部
１５ｂ  穂先部
１６  継手部
１７  集塵部カバー
１９  第１排気口群
１９ａ  第１排気口
２０  第２排気口群
２０ａ第２排気口
２１  把持部
２３  操作部
２３ａ  第１操作ボタン
２３ｂ  第２操作ボタン
２３ｃ  第３操作ボタン
２５  指通し部
３１  接触部
３１ａ  凸部
３１ｂ  突起部
３１ｃ  ねじ止め部
３２  転がり防止部
３２ａ  接触面
３３  配線配置部
３３ａ  空間
３５  塵埃検知表示部
３６  電池残量表示部
３７  ラベル貼付部
３８  パイプ接続部
３８ａ  吸引口
３８ｂ  内部空間
３９  電源コネクタ
４０  状態保持部
４０ａ  第一保持部材
４０ｂ  第二保持部材
４１  電池カバー
４２  電池池収容部
５１  筐体
５１ａ第１筐体部材
５１ｂ 第２筐体部材
５２  フィルタ
６１  モータ
６２  吸引ファン
６２ａ，６３ａ  開口部
６３  空気案内部
７０  制御基板
７１  第１発光部
７２  回路基板
７３  発光素子
７４  受光素子
８１  凹部
８２  枠部
８２ａ  第１側壁
８２ｂ  第２側壁
８２ｃ  第３側壁
８２ｄ  第４側壁
８３ａ  第１溝部
８３ｂ  第２溝部
８４ａ  第１貫通穴
８４ｂ  第２貫通穴
９１  板状部
９２  筒部
９３，９４  袋保持部
１３０  飛出部
１５３  薄板部材
１７１  蓋部
１７２  中空突起部
１７４  パッキン配置部
１７５  飛出受け部
２３０  操作基板
３５０  光拡散部
３５０ａ  第１拡散板
３５０ｂ  第２拡散板
３５０ｃ  支持部
３５１  光反射部
３５１ａ  側壁
３５１ｂ  突出部
３５１ｃ  切断部
３６０  第２発光部
３８０  パッキン
４２３  羽部材
５０１  第１仕切板
５０２  第２仕切板
５１０  回転機構
６００  ファン配置領域
６０１  モータ配置部
６０１ａ  第１配置部材
６０１ｂ  第２配置部材
６２１  第１円盤部材
６２２  第２円盤部材
６２３  羽部材
６２４  コア部材
６３１  載置部
６３２  第１棒状部材
６３３  第２棒状部材
６５０  モータ配置領域
７０１  基板取付部
７０１ａ  第１基板支持部材
７０１ｂ  第２基板支持部材
９００  集塵部
９１１ａ，９１１ｂ  切欠き部
９１１ｃ  貫通孔
９３１ａ，９３１ｂ，９４１ａ，９４１ｂ  延伸保持部材
【図１】
2020072837.tif 000003
【図２】
2020072837.tif 000004
【図３】
2020072837.tif 000005
【図４】
2020072837.tif 000006
【図５】
2020072837.tif 000007
【図６】
2020072837.tif 000008
【図７】
2020072837.tif 000009
【図８】
2020072837.tif 000010
【図９】
2020072837.tif 000011
【図１０】
2020072837.tif 000012
【図１１】
2020072837.tif 000013
【図１２】
2020072837.tif 000014
【図１３】
2020072837.tif 000015
【図１４】
2020072837.tif 000016
【図１５】
2020072837.tif 000017
【図１６】
2020072837.tif 000018
【手続補正書】
【提出日】令和1年10月5日(2019.10.5)
【手続補正１】
【補正対象書類名】特許請求の範囲
【補正対象項目名】全文
【補正方法】変更
【補正の内容】
【特許請求の範囲】
【請求項１】
ファンモータと、前記ファンモータにより吸引された塵埃が収容される集塵部とを有する掃除機本体と、
前記集塵部の開口を介して前記集塵部に着脱可能に設けられる塵埃収集部とを備え、
前記塵埃収集部は、中空の筒部と、前記筒部とで挟んで集塵袋を保持する袋保持部とを有する
掃除機。
【請求項２】
前記袋保持部は、前記筒部に沿って設けられる延伸保持部材を有する
請求項１記載の掃除機。
【請求項３】
前記延伸保持部材の延伸端部は、前記筒部の外側に向かって折れ曲がっている
請求項２記載の掃除機。
【請求項４】
前記塵埃収集部は、前記筒部と連通し、前記筒部が突出するよう設けられた板状部を有し、
前記板状部は、第１端部と、前記第１端部とは反対側の第２端部とを有し、
前記集塵部に前記塵埃収集部が装着された状態で、前記第１端部は前記開口に近い側に位置し、前記第２端部は前記開口から遠い側に位置する
請求項１から３までのいずれか一項に記載の掃除機。
【請求項５】
前記開口を回転機構によって開閉可能な集塵部カバーと、
前記塵埃収集部が前記集塵部から離脱している場合、前記集塵部カバーが閉状態となることを阻止する阻止部材と
を備える
請求項１から４までのいずれか一項に記載の掃除機。
【請求項６】
前記阻止部材は、第１位置と第２位置との間で回動可能であり、前記第２位置に対し前記第１位置の回動方向に付勢され、
前記集塵部カバーは、前記集塵ホルダが前記集塵部から離脱している場合に、前記第１位置側に付勢された前記阻止部材に前記集塵部カバーの一部が接触することで、閉状態となることが阻止される
請求項５記載の掃除機。
【手続補正２】
【補正対象書類名】明細書
【補正対象項目名】０００５
【補正方法】変更
【補正の内容】
【０００５】
一方で、交換可能な集塵袋を利用する掃除機の場合、吸引による空気圧によって集塵袋が外れてしまうという問題がある。
本発明の目的は、吸引による空気圧によって集塵袋が外れてしまうことを防止可能な掃除機を提供することにある。
【手続補正３】
【補正対象書類名】明細書
【補正対象項目名】０００６
【補正方法】変更
【補正の内容】
【０００６】
上記課題を解決するために、本発明の一態様による掃除機は、ファンモータと、前記ファンモータにより吸引された塵埃が収容される集塵部とを有する掃除機本体と、前記集塵部の開口を介して前記集塵部に着脱可能に設けられる塵埃収集部とを備え、前記塵埃収集部は、中空の筒部と、前記筒部とで挟んで集塵袋を保持する袋保持部とを有することを特徴とする。
【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
ファンモータと、前記ファンモータにより吸引された塵埃が収容される集塵部とを有する掃除機本体と、
前記集塵部の開口を介して前記集塵部に着脱可能に設けられる塵埃収集部と
を備え、
前記塵埃収集部は、中空の筒部と、前記筒部とで挟んで集塵袋を保持する袋保持部とを有し、
前記塵埃収集部は、前記筒部と連通し、前記筒部が突出するよう設けられた板状部を有し、
前記板状部は、前記集塵部への装着方向の上流側となる第１端部と、前記集塵部への装着方向の下流側となる第２端部とを有し、前記第２端部から前記第１端部に向けて厚みが薄くなるよう、前記筒部が設けられる側とは反対側に傾斜面を有し、
前記集塵部に前記塵埃収集部が装着されると、前記集塵部内の気密部材に前記板状部の前記傾斜面が当接する
掃除機。
【請求項２】
ファンモータと、前記ファンモータにより吸引された塵埃が収容される集塵部とを有する掃除機本体と、
前記集塵部の開口を介して前記集塵部に着脱可能に設けられる塵埃収集部と
を備え、
前記塵埃収集部は、中空の筒部と、前記筒部とで挟んで集塵袋を保持する袋保持部とを有し、
前記掃除機本体は、
前記開口を回転機構によって開閉可能な集塵部カバーと、
前記塵埃収集部が前記集塵部から離脱している場合、前記集塵部カバーが閉状態となることを阻止する阻止部材と
を備え、
前記阻止部材は、前記開口における前記回転機構と反対側に位置する端部側に傾くよう付勢され、
前記集塵部カバーは、前記塵埃収集部が前記集塵部から離脱している場合に、前記開口の端部側に傾いた状態の前記阻止部材に前記集塵部カバーが接触することで、閉状態となることが阻止される
掃除機。
【請求項３】
前記掃除機本体は、
前記開口を回転機構によって開閉可能な集塵部カバーと、
前記塵埃収集部が前記集塵部から離脱している場合、前記集塵部カバーが閉状態となることを阻止する阻止部材と
を備え、
前記阻止部材は、前記開口における前記回転機構と反対側に位置する端部側に傾くよう付勢され、
前記集塵部カバーは、前記集塵部に前記塵埃収集部が装着されると、前記板状部の前記傾斜面によって前記阻止部材が倒され、閉状態となる
請求項１記載の掃除機。
【請求項４】
前記塵埃収集部は、前記筒部と連通し、前記筒部が突出するよう設けられた板状部を有し、
前記板状部は、前記集塵部への装着方向の上流側となる第１端部と、前記集塵部への装着方向の下流側となる第２端部とを有し、前記第２端部から前記第１端部に向けて厚みが薄くなるよう、前記筒部が設けられる側とは反対側に傾斜面を有し、
前記集塵部に前記塵埃収集部が装着されると、前記集塵部内の気密部材に前記板状部の前記傾斜面が当接する
請求項２記載の掃除機。
【請求項５】
前記袋保持部は、前記筒部に沿って設けられる延伸保持部材を有する
請求項１から４までのいずれか一項に記載の掃除機。
【請求項６】
前記延伸保持部材の延伸端部は、前記筒部の外側に向かって折れ曲がっている
請求項５記載の掃除機。